(57)【要約】【課題】カメラマンが、撮影者側パソコンから画像を送信した後で自分が送信した画像が新聞社側に確実に送信されたかどうかを容易に確認できるようにする。またカメラマンが、送信した画像が新聞社で出稿されて、紙面に掲載される予定であるか否かについて容易に確認できるようにする。【解決手段】撮影者側パソコン１０で、表示ソフトウエアが起動されると、Ｗｅｂサーバ９の画像表示画面データにアクセスでき、受信画像一覧画面１２１が自己のパソコン１０で表示される。また編集者側パソコン１で、画像を出稿すべきことを指示する入力操作が行われると、この操作内容のデータがＷｅｂサーバ９に送信され、Ｗｅｂサーバ９に格納されている受信画像一覧画面１２１のデータは、画像１２２′の画像情報表示部１２３′の背景色が地色（白色）とは異なる色（緑色）に変化する。撮影者側パソコン１０からＷｅｂサーバ９の受信画像一覧画面１２１のデータにアクセスすることで、更新された受信画像一覧画面１２１が自己のパソコン１０で表示される。【選択図】  図４
2004214818.tif 000002
【特許請求の範囲】
【請求項１】
撮影手段で撮影した画像のデータを撮影者側の端末から入力し通信手段を介して送信し、受信した画像データを編集者側の端末で取り出し、出稿するようにした画像の送受信装置において、
サーバは、通信手段によって前記撮影者側端末および前記編集者側端末と通信可能に接続され、
前記サーバには、受信した画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されること
を特徴とする画像の送受信装置。
【請求項２】
前記編集者側端末で、画像を出稿すべきことを指示する入力操作が行われると、
この操作内容のデータが前記サーバに送信され、前記サーバに格納されている画像表示画面は、画像が出稿されたことを示す画像表示画面に更新されること
を特徴とする請求項１記載の画像の送受信装置。
【請求項３】
前記撮影者側端末から複数の静止画像を送信する場合に適用され、
前記画像表示画面は、複数の静止画像を一覧表示するものであり、
前記編集者側端末で、複数の静止画像の中から出稿すべき静止画像を選択する入力操作が行われると、
この操作内容のデータが前記サーバに送信され、前記サーバに格納されている画像表示画面は、出稿された静止画像が他の静止画像と識別表示されている態様の画像表示画面に更新されること
を特徴とする請求項１記載の画像の送受信装置。
【請求項４】
前記撮影者側端末から複数の静止画像を送信する場合に適用され、
複数の静止画像が前記サーバで受信されると、当該サーバで、受信した複数の静止画像について実画像のデータとは別にサムネイル画像のデータを生成する処理が行われ、
前記編集者側端末で、前記サーバで受信された複数の静止画像を要求する入力操作が行われると、
この操作内容のデータが前記サーバに送信され、これを受けて前記サーバから複数のサムネイル画像のデータが前記編集者側端末に送信され、
前記編集者側端末で、複数のサムネイル画像の中から特定のサムネイル画像を選択する入力操作が行われると、
この操作内容のデータが前記サーバに送信され、これを受けて前記サーバから特定のサムネイル画像に対応する実画像のデータが前記編集者側端末に送信されること
を特徴とする請求項１記載の画像の送受信装置。
【請求項５】
前記撮影手段には、撮影した画像のデータを記憶する携行可能な記憶媒体が着脱自在に設けられており、
前記携行可能な記憶媒体が前記撮影者側端末に装着されることに応じて、前記送信ソフトウエアが起動されて、前記サーバに、画像データが自動的に送信されること
を特徴とする請求項１記載の画像の送受信装置。
【請求項６】
前記撮影手段には、撮影した画像のデータに、タグを付与する手段が設けられているとともに、撮影した画像のデータおよびタグのデータを記憶する携行可能な記憶媒体が着脱自在に設けられており、
前記携行可能な記憶媒体が前記撮影者側端末に装着されることに応じて、前記送信ソフトウエアが起動されて、前記サーバに、タグが付与されている画像データが自動的に送信されること
を特徴とする請求項１記載の画像の送受信装置。
【請求項７】
通信手段により接続され、画像の送受信に用いられるサーバであって、
前記サーバには、受信した画像を表示する画像表示画面のデータが格納されており、
前記サーバで画像のデータが受信されると、受信された画像を含む画像表示画面に更新され、
前記サーバで画像表示画面を要求するデータが受信されると、要求元に画像表示画面のデータを送信すること
を特徴とする画像の送受信用サーバ。
【請求項８】
前記サーバで画像を出稿すべきことを指示するデータが受信されると、画像が出稿されたことを示す画像表示画面に更新されること
を特徴とする請求項７記載の画像の送受信用サーバ。
【請求項９】
通信手段により接続され、画像の送受信に用いられるサーバであって、
前記サーバには、受信した複数の静止画像を一覧表示する画像表示画面のデータが格納されており、
前記サーバで静止画像のデータが受信されると、受信された静止画像を含む画像表示画面に更新され、
前記サーバで静止画像を出稿すべきことを指示するデータが受信されると、当該出稿されるべき静止画像が他の静止画像と識別表示されている態様の画像表示画面に更新され、
前記サーバで画像表示画面を要求するデータが受信されると、要求元に画像表示画面のデータを送信すること
を特徴とする画像の送受信用サーバ。
【請求項１０】
複数の静止画像が前記サーバで受信されると、受信した複数の静止画像について実画像のデータとは別にサムネイル画像のデータを生成する処理が行われ、
複数の静止画像を要求するデータが受信されると、複数のサムネイル画像を表示した画像表示画面のデータを要求元に送信し、
複数のサムネイル画像の中から特定のサムネイル画像を選択するデータが受信されると、特定のサムネイル画像に対応する実画像のデータを要求元に送信すること
を特徴とする請求項７記載の画像の送受信用サーバ。
【発明の詳細な説明】
【０００１】
【発明の属する技術分野】
本発明は、カメラなどの撮影手段で撮影した画像のデータを撮影者側の端末から編集者側の端末に送信して、編集者側の端末で画像データを取り出し出稿するようにした画像の送受信装置およびこの画像の送受信装置に用いられる画像の送受信用のサーバに関するものである。
【０００２】
【従来の技術】
新聞社、雑誌社などの取材活動において写真という素材は重要であり、取材地で撮影された写真を迅速に遠隔地にある新聞社等に送る必要がある。
【０００３】
近年、デジタルカメラの性能が向上するとともに、通信回線が整備され通信コストが低下していることから、デジタルカメラで撮影した画像のデータを通信回線を介して新聞社に送信するシステムが開発され、利用されている。
【０００４】
以下オリンピック、サッカー、野球などのイベントで写真が撮影され新聞社に送信する場合を想定して説明する。
【０００５】
オリンピック、サッカーワールドカップ、プロ野球等のスポーツイベントでは、新聞社に所属するカメラマンはインパクトのある写真を求めて大量の画像を撮影し、新聞社に送信する。この場合デジタルカメラで撮影した画像のデータをカメラマンが送信用のパーソナルコンピュータ（以下パソコン）に取り込み、パソコンにインストールされた画像送信用のソフトウエアを起動して、インターネットなどの公衆回線、専用回線等のネットワークを経由して新聞社に送信する。
【０００６】
新聞の締め切り時間間際には、カメラマンは撮影した画像を確認したり複数の画像の中から選択したりしてから送信する余裕はない。また時間が余裕がある場合にしても決定的瞬間を逃さないために、カメラマンは撮影した画像を一刻も早く送信し終えて、次の撮影に備える必要がある。とりわけスポーツイベントの取材では、カメラマンが一人で撮影する画像は１試合で数百枚に及ぶことがある。
通常１試合あたり３、４人程度の複数のカメラマンが撮影することから、撮影する画像の枚数は更に膨大なものとなる。
【０００７】
ここで新聞社内には紙面制作用のホストコンピュータが設けられている。この紙面制作用ホストコンピュータは社内ＬＡＮによって紙面制作用の端末に接続されている。ここで紙面制作用ホストコンピュータに画像のデータが送信され画像データが蓄積されたことをもって写真が「出稿」されたといわれる。紙面制作用端末では、紙面制作用ホストコンピュータに蓄積された画像データを用いて紙面を制作する処理が行われる。
【０００８】
新聞紙面のスペースには限りがあり、１試合あたりせいぜい３〜４枚が紙面に掲載されるに過ぎない。撮影した数百枚にもおよぶ画像をすべて掲載することは到底不可能である。
【０００９】
したがってカメラマン側の送信用パソコンから大量の画像を新聞社側の紙面制作用ホストコンピュータに直接送信して「出稿」したことにすると、送信コストが嵩むとともに、ホストコンピュータの空容量を少なくし効率的ではない。また紙面制作用ホストコンピュータに蓄積された大量の画像の中から紙面に掲載すべき数枚の画像を選択する編集作業が必要となり、制作の現場が混乱することになる。
【００１０】
そこで、従来より紙面制作用ホストコンピュータの前段に、画像送受信システムを設けて、カメラマンから送信された画像を受信し受信した画像の中から「出稿」すべき画像を選択してから紙面ホストコンピュータに送信するようにしている。
【００１１】
（従来技術１）
図７は従来より実施されている画像の送受信システムの構成を示している。この従来技術１は、非特許文献１（新聞技術/２００２−３  Ｎｏ．１８１，ｐｐ１〜ｐｐ７「日韓Ｗ杯における写真取材態勢について  Ｗｅｂ型新画像受信システム（通称金ちゃん）の開発」，２００２年９月２５日発行，日本新聞協会）に「旧システム」として記載されている。
【００１２】
すなわち撮影地である例えばサッカー競技場、野球場には、撮影者側パソコン１０が設けられている。撮影者側パソコン１０は、たとえば「ＩＥＥＥ１３９４」規格のデータ通信ケーブル２０を介してカメラ（デジタルカメラ）１に接続されている。撮影地ではカメラ１を用いてカメラマンがイベントの写真を撮影する。
【００１３】
イベント会場内のプレスセンタには、中継用のサーバ２１が設けられている。
プレスセンタには、カメラマンから送信されてくる大量の画像の中から新聞社に送信すべき数十枚程度の画像を選択する現場デスク（現場の編集者）が配置される。
【００１４】
撮影者側パソコン１０と中継用サーバ２１とは無線ＬＡＮなどの無線通信４によって送受信可能に接続されている。
【００１５】
新聞社内には、画像のデータを記憶する素材サーバ１３と、出稿された画像のデータを記憶する紙面制作用ホストコンピュータ１５と、画像を選択して紙面制作用ホストコンピュータ１５に送信する処理を行う編集者側パソコン１１が設けられている。編集者側パソコン１１には、新聞社デスク（新聞社内の編集者）が配置されている。
【００１６】
中継用サーバ２１と素材サーバ１３とは、ＩＳＤＮや専用線などの通信回線２２によって送受信可能に接続されている。素材サーバ１３と紙面制作用ホストコンピュータ１５と編集者側パソコン１１は、新聞社内のＬＡＮを構成している。
【００１７】
素材サーバ１３と紙面制作用ホストコンピュータ１５とは、ＬＡＮ用の通信回線１４によって送受信可能に接続されており、素材サーバ１３と編集者側パソコン１１とは、ＬＡＮ用の通信回線２３によって送受信可能に接続されている。
【００１８】
カメラ１で撮影した画像のデータはケーブル２０を介して撮影者側パソコン１０に取り込まれる。カメラマンが撮影者側パソコン１０のキーボード等を操作して、画像を「送信」するコマンドを入力すると、撮影者側パソコン１０に取り込まれた画像は、経路Ｄにて示すように、無線通信４として中継用サーバ２１に送信され、中継用サーバ２１で受信され、中継用サーバ２１の記憶装置に記憶される。プレスセンタに配置された現場デスクが、中継用サーバ２１のキーボード等を操作して、画像を「選択」するコマンドを入力するとともに選択した画像を「送信」するコマンドを入力すると、中継用サーバ２１の記憶装置に記憶された画像の中から選択された画像が、経路Ｅにて示すように、通信回線２２を介して素材サーバ１３に送信され、素材サーバ１３で受信され、素材サーバ１３の記憶装置に記憶される。更に素材サーバ１３から通信回線２３を介して編集者側パソコン１１に送信され、編集者側パソコン１１で受信される。
【００１９】
新聞社デスクが編集者側パソコン１１のキーボード等を操作して、画像を「選択」するコマンドを入力するとともに、画像を「出稿」するコマンドを入力すると、素材サーバ１３の記憶装置に記憶された画像の中から選択された画像が、通信回線１４を介して紙面制作用ホストコンピュータ１５に送信される。
【００２０】
その他に従来の画像の送受信システムの一般技術的水準を示す文献として以下に掲げるものがある。
【００２１】
（従来技術２）
非特許文献２（新聞技術/２００２−３  Ｎｏ．１８１，ｐｐ８〜ｐｐ１３「２００２  ＦＩＦＡ  ＷＯＲＬＤ  ＣＵＰ  Ｋｏｒｅａ/Ｊａｐａｎにおける韓国回線事情」，２００２年９月２５日発行，日本新聞協会）には、プレスセンタに中継用サーバのみならず編集用の端末を設けて、プレスセンタで出稿用の画像に加工してから、新聞社や通信社に送信するようにしたシステムが記載されている。送信経路の一部はインターネットを使用している。
【００２２】
（従来技術３）
非特許文献３（新聞技術/２００１−２  Ｎｏ．１７６，ｐｐ４６〜ｐｐ５１「ＮＳＫ  ＴＩＦＦによる野球写真の全量送受信  ドームシステムの構築」，２００１年６月２５日発行，日本新聞協会）には、中継用サーバを廃して、撮影者側の端末から専用線を介して新聞社側のサーバに、撮影した画像を全て送信するシステムが記載されている。
【００２３】
（従来技術４）
非特許文献４（新聞技術/１９９９−２  Ｎｏ．１６８，ｐｐ４７〜ｐｐ５１「「ＦＴＰ受信サーバー」と配信用「Ｗｅｂサーバー」の２機能を持つ「産経インターネットサーバー」の構築」，１９９９年６月２５日発行，日本新聞協会）には、中継用サーバを廃して、撮影者側の端末からインターネットを経由して、撮影した画像を全て新聞社側のサーバに送信するシステムが記載されている。
【発明が解決しようとする課題】
従来技術１、従来技術２によれば、撮影した全ての画像を新聞社側に送信するのではなく、プレスセンタの中継用サーバで新聞社側に送信すべき画像を選択してから送信しているため、通信コストを低減できるとともに、新聞社側で行う編集作業の労力を軽減することができる。
【００２４】
しかしプレスセンタに現場デスク等の人員を配置するとともに、イベントの事前に中継用サーバを設置したり、中継用サーバを機能させるために専用線や公衆回線などの通信回線を敷設する必要があることから、人的コストが嵩むとともに、準備に多大な時間、労力を要する。
【００２５】
これに対して従来技術３、従来技術４によれば中継用サーバを廃しているため、人的コストが嵩んだり、準備に多大な時間、労力を要するという問題は幾分解決される。しかし撮影した画像を全て新聞社側に送信していることから、通信コストが増大するとともに、紙面制作の現場が混乱し編集作業に要する労力、負担は多大なものとなる。
【００２６】
しかも従来技術１〜４のいずれについても、カメラマンは、撮影者側パソコンから画像を送信した後で自分が送信した画像が新聞社側に確実に送信されたかどうかまでは確認することができない。またカメラマンは、送信した画像が新聞社で出稿されて、紙面に掲載される予定であるか否かについてまでは確認することができない。
【００２７】
このためつぎのような問題が発生する。
【００２８】
１）カメラマンは、自分が送信した画像が正常に中継用サーバ若しくは新聞社で受信されたかどうかを確認することができない。このため重要なシーンを撮影してその画像を送信した場合には、撮影の合間を利用して電話連絡等を行い送信結果を直接確認する必要がある。しかしサッカー、野球などの空き時間が殆ど無いイベントを撮影している場合には、電話等による連絡は事実上不可能であり、不安な状態で撮影を続行しなければならないことが多い。また電話等による連絡を行うことでシャッターチャンスを逃すなど取材に支障を来すおそれがある。
【００２９】
２）カメラマンは、自分がどのような画像を送信したかについては把握してはいるもののイベント会場にいる他のカメラマンがどのような画像を送信したかについては把握できない。この場合も撮影の合間を利用して電話連絡等を行い撮影内容を確認しなければならないが、上述したように空き時間が殆ど無いイベントでは、その確認も事実上不可能であり、他のカメラマンの撮影内容を知らないまま撮影を続行しなければならないことが多い。ここで電話等による連絡を行わなくても他のカメラマンの撮影内容を迅速に手間をかけずに知ることができれば、その後、お互いをサポートし合うことで、撮影内容を重複させない効率的な取材が可能になる。
【００３０】
３）カメラマンは、編集者がどのような画像を紙面に掲載する予定なのかを確認することができない。電話連絡等で紙面に掲載する予定の写真を直接訊くことは、上述したように空き時間が殆どないイベントでは事実上不可能である。ここで電話等による連絡を行わなくても掲載する予定の画像を迅速かつ手間をかけずに確認することができれば、その後の取材方針を決めるのに役に立ち効率的な取材が可能になる。また自分が撮影した画像が紙面に掲載される予定であることを取材現場で知ることができれば、その後の撮影への意欲がわき精力的な取材が可能になる。
【００３１】
本発明はこうした実状に鑑みてなされたものであり、撮影者側端末から画像を送信した後で自分が送信した画像が新聞社側に確実に送信されたかどうかを容易に確認できるようにし、送信した画像が新聞社で出稿されて紙面に掲載される予定であるか否かについて容易に確認できるようにすることで、従来技術１〜４では解決できなかった上述した１）〜３）の問題を解決することを目的とするものである。
【００３２】
【課題を解決するための手段および効果】
第１発明は、
撮影手段で撮影した画像のデータを撮影者側の端末から入力し通信手段を介して送信し、受信した画像データを編集者側の端末で取り出し、出稿するようにした画像の送受信装置において、
サーバは、通信手段によって前記撮影者側端末および前記編集者側端末と通信可能に接続され、
前記サーバには、受信した画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されること
を特徴とする。
【００３３】
第１発明によれば、撮影者側端末１０で、図２に示すように、送信ソフトウエアが起動されると、サーバ９に、画像１１０のデータが送信される。サーバ９には、画像表示画面のデータが格納されている。画像表示画面は、画像１１０のデータを受信する毎に、受信した画像１１０を含んだ画像表示画面に更新される。
【００３４】
編集者側端末１１で、図３に示すように、表示ソフトウエアが起動されると、サーバ９の画像表示画面データにアクセスでき、図４に示すように、画像表示画面１２１が自己の端末１１で表示される。
【００３５】
このため編集者は、画像表示画面１２１をみながら編集作業を効率よく行うことができる。
【００３６】
撮影者側端末１０で、図３に示すように、表示ソフトウエアが起動されると、サーバ９の画像表示画面データにアクセスでき、図４に示すように、画像表示画面１２１が自己の端末１０で表示される。このため撮影者が既に送信した画像１１０（図２）と同じ画像１２２′（図４）が画像表示画面１２１上に存在するか否かを確認することで、正常に送信できたか否かを判断することができる。
【００３７】
撮影者が既に送信した画像１１０（図２）と同じ画像１２２′（図４）が画像表示画面１２１上で確認できれば、撮影者は、自分が送信した画像１１０が正常にサーバ９で受信されて新聞社の編集者側端末１１で受信されたと判断することができる。この確認作業は、撮影者側端末１０からサーバ９の画像表示画面データにアクセスする操作を行うだけでよく、電話による連絡等と比較して時間や手間を要しない。このため、その後の取材に支障を来すことがない。また送信結果未確認のまま不安な状態で撮影を続行することからも解放される。
【００３８】
また撮影者は、図４に示すように、自分が既に送信した画像１２２′のみならず他の撮影者が既に送信した画像１２２″を、画像表示画面１２１上で確認することができる。この確認作業は、撮影者側端末１０からサーバ９の画像表示画面データにアクセスする操作を行うだけでよく、電話による連絡等と比較して時間や手間を要しない。すなわち他の撮影者の撮影内容を迅速に手間をかけずに知ることができるので、その後、お互いをサポートし合うことで、撮影内容を重複させない効率的な取材が可能になる。
【００３９】
第２発明は、第１発明において、
前記編集者側端末で、画像を出稿すべきことを指示する入力操作が行われると、
この操作内容のデータが前記サーバに送信され、前記サーバに格納されている画像表示画面は、画像が出稿されたことを示す画像表示画面に更新されること
を特徴とする。
【００４０】
編集者側端末１１で、画像を出稿すべきことを指示する入力操作が行われると、この操作内容のデータがサーバ９に送信され、サーバ９に格納されている画像表示画面１２１は、図４に示すように、たとえば画像１２２′の画像情報表示部１２３′の背景色が地色（たとえば白色）とは異なる色（たとえば緑色）に変化するなどして、画像１２２′が出稿されたことを示す画像表示画面１２１に更新される。撮影者側端末１０からサーバ９の画像表示画面データにアクセスすることで、図４に示すように、更新された画像表示画面１２１が自己の端末１０で表示される。このため撮影者は、自分が撮影した画像１２２′が紙面に掲載される予定であることを取材現場で、電話連絡等と比較して迅速にかつ手間をかけずに知ることができる。また他の撮影者が送信した画像についても出稿される予定であるか否かを知ることができる。どのような画像が出稿される予定であるかを知ることで、その後の取材方針を決めるのに役に立ち効率的な取材が可能になる。
また自分が撮影した画像が掲載される予定であることを取材現場で知ることができれば、その後の撮影への意欲がわき精力的な取材が可能になる。
【００４１】
第３発明は、第１発明において、
前記撮影者側端末から複数の静止画像を送信する場合に適用され、
前記画像表示画面は、複数の静止画像を一覧表示するものであり、
前記編集者側端末で、複数の静止画像の中から出稿すべき静止画像を選択する入力操作が行われると、
この操作内容のデータが前記サーバに送信され、前記サーバに格納されている画像表示画面は、出稿された静止画像が他の静止画像と識別表示されている態様の画像表示画面に更新されること
を特徴とする。
【００４２】
撮影者側端末１０から複数の静止画像がサーバ９に送信される。サーバ９では、複数の静止画像を受信すると、図４に示すように、複数の静止画像を一覧表示した画像表示画面１２１を生成し、画像表示画面１２１のデータとして格納する。編集者側端末１１で、複数の静止画像１２２…の中から出稿すべき静止画像１２２′を選択する入力操作が行われると、この操作内容のデータがサーバ９に送信され、サーバ９に格納されている画像表示画面１２１は、図４に示すように、たとえば出稿すべき静止画像１２２′の画像情報表示部１２３′の背景色が、そうでない他の静止画像１２２の画像情報表示部１２３の背景色（たとえば白色）と異なる色（たとえば緑色）に変化するなどして、出稿された静止画像１２２′が他の静止画像１２２と識別表示されている態様の画像表示画面１２１に更新される。撮影者側端末１０からサーバ９の画像表示画面データにアクセスすることで、図４に示すように、更新された画像表示画面１２１が自己の端末１０で表示される。このため撮影者としては、自分が撮影した画像１２２′が紙面に掲載される予定であることを取材現場で、電話連絡等と比較して迅速にかつ手間をかけずに知ることができるとともに、他の撮影者が送信した画像についても出稿される予定であるか否かを同様に知ることができ、上述した第２発明と同様に、その後の効率的な取材が可能になるとともに、意欲増進により精力的な取材が可能になる。
【００４３】
第４発明は、第１発明において、
前記撮影者側端末から複数の静止画像を送信する場合に適用され、
複数の静止画像が前記サーバで受信されると、当該サーバで、受信した複数の静止画像について実画像のデータとは別にサムネイル画像のデータを生成する処理が行われ、
前記編集者側端末で、前記サーバで受信された複数の静止画像を要求する入力操作が行われると、
この操作内容のデータが前記サーバに送信され、これを受けて前記サーバから複数のサムネイル画像のデータが前記編集者側端末に送信され、
前記編集者側端末で、複数のサムネイル画像の中から特定のサムネイル画像を選択する入力操作が行われると、
この操作内容のデータが前記サーバに送信され、これを受けて前記サーバから特定のサムネイル画像に対応する実画像のデータが前記編集者側端末に送信されること
を特徴とする。
【００４４】
撮影者側端末１０から複数の静止画像を送信すると、複数の静止画像がサーバ９で受信され、当該サーバ９で、受信した複数の静止画像について実画像のデータとは別にサムネイル画像のデータを生成する処理が行われる。
【００４５】
編集者側端末１１で、サーバ９で受信された複数の静止画像を要求する入力操作が行われると、この操作内容のデータがサーバ９に送信され、これを受けてサーバ９から、図４に示すように、複数のサムネイル画像１２２…１２２′、１２２″のデータが編集者側端末１１に送信される。編集者側端末１１で、図５に示すように、複数のサムネイル画像１２２…１２２′、１２２″の中から特定のサムネイル画像１２２′を選択する入力操作が行われると、この操作内容のデータがサーバ９に送信され、これを受けてサーバ９から、図６に示すように、特定のサムネイル画像１２２′に対応する実画像１３４のデータが編集者側端末１１に送信される。実画像１３４を画面上で表示することで画像の細部やピント、ブレなどをチェックでき真の画質を確認できる。これによりその画像を出稿すべきか否かを画面上で判断することができる。また実画像１３４を色調整したり一部をカットするなどの加工、編集作業を画面上で行うことができ、編集作業を効率よく行うことができる。
【００４６】
ここで実画像１３４のデータはサムネイル画像１２２′のデータに比較してデータ容量が大きい。複数の静止画像を一覧表示等する場合には、データ容量の小さいサムネイル画像をサーバ９から編集者側端末１１に送信することとし、真の画質をチェックして出稿すべきか否かを判断する場合や画像を加工、編集したりする場合のみに、データ容量の大きい実画像をサーバ９から編集者側端末１１に送信するようにしたので、通信コストを抑制することができるとともに、通信時間を短くすることができる。
【００４７】
第５発明は、第１発明において、
前記撮影手段には、撮影した画像のデータを記憶する携行可能な記憶媒体が着脱自在に設けられており、
前記携行可能な記憶媒体が前記撮影者側端末に装着されることに応じて、前記送信ソフトウエアが起動されて、前記サーバに、画像データが自動的に送信されること
を特徴とする。
【００４８】
図１に示すように、撮影手段であるカメラ１には、撮影した画像のデータを記憶する携行可能な記憶媒体たとえばメモリカード２が着脱自在に設けられている。このメモリカード２がカメラ１から抜き取られ、撮影者側端末１０のメモリカードリーダ３に挿入されると、それに応じて、撮影者側端末１０の送信ソフトウエアが起動されて、サーバ９に、画像データが自動的に送信される。
【００４９】
すなわち撮影者としては、撮影者側端末１０上でキー操作、クリック操作などの煩わしい操作を行うことなく、非常に簡単な操作で確実に画像を送信することができる。この結果、撮影者は取材に専念することができる。
【００５０】
第６発明は、第１発明において、
前記撮影手段には、撮影した画像のデータに、タグを付与する手段が設けられているとともに、撮影した画像のデータおよびタグのデータを記憶する携行可能な記憶媒体が着脱自在に設けられており、
前記携行可能な記憶媒体が前記撮影者側端末に装着されることに応じて、前記送信ソフトウエアが起動されて、前記サーバに、タグが付与されている画像データが送信されること
を特徴とする。
【００５１】
図１に示すように、撮影手段であるカメラ１には、撮影した画像のデータを記憶する携行可能な記憶媒体たとえばメモリカード２が着脱自在に設けられているとともに、撮影した画像のデータに、タグを付与する手段が設けられている。メモリカード２には、撮影した画像のデータおよびタグのデータが記憶される。このメモリカード２がカメラ１から抜き取られ、撮影者側端末１０のメモリカードリーダ３に挿入されると、それに応じて、撮影者側端末１０の送信ソフトウエアが起動されて、サーバ９に、タグが付与されている画像データが自動的に送信される。
【００５２】
このため煩わしい操作を行うことなく非常に簡単な操作で確実に画像を送信できるようになり、上述した第５発明と同様に、取材に専念できるという効果が得られる。
【００５３】
更に、この第６発明によれば、撮影した画像の中から送信すべき画像を選択するにあたり、カメラ１から手を離して、撮影者側端末１０上でキー操作、クリック操作などの煩わしい操作を行う必要がない。撮影した瞬間に手にしているカメラ１上で選択操作を行えるので、操作を確実かつ瞬時に行うことができる。このため第６発明によれば、より一層、取材に専念できるという効果が得られる。
【００５４】
第７発明は、
通信手段により接続され、画像の送受信に用いられるサーバであって、
前記サーバには、受信した画像を表示する画像表示画面のデータが格納されており、
前記サーバで画像のデータが受信されると、受信された画像を含む画像表示画面に更新され、
前記サーバで画像表示画面を要求するデータが受信されると、要求元に画像表示画面のデータを送信すること
を特徴とする。
【００５５】
第８発明は、第７発明において、
前記サーバで画像を出稿すべきことを指示するデータが受信されると、画像が出稿されたことを示す画像表示画面に更新されること
を特徴とする。
【００５６】
第９発明は、
通信手段により接続され、画像の送受信に用いられるサーバであって、
前記サーバには、受信した複数の静止画像を一覧表示する画像表示画面のデータが格納されており、
前記サーバで静止画像のデータが受信されると、受信された静止画像を含む画像表示画面に更新され、
前記サーバで静止画像を出稿すべきことを指示するデータが受信されると、当該出稿されるべき静止画像が他の静止画像と識別表示されている態様の画像表示画面に更新され、
前記サーバで画像表示画面を要求するデータが受信されると、要求元に画像表示画面のデータを送信すること
を特徴とする。
【００５７】
第１０発明は、第７発明において、
複数の静止画像が前記サーバで受信されると、受信した複数の静止画像について実画像のデータとは別にサムネイル画像のデータを生成する処理が行われ、
複数の静止画像を要求するデータが受信されると、複数のサムネイル画像を表示した画像表示画面のデータを要求元に送信し、
複数のサムネイル画像の中から特定のサムネイル画像を選択するデータが受信されると、特定のサムネイル画像に対応する実画像のデータを要求元に送信すること
を特徴とする。
【００５８】
第７発明は、第１発明の画像の送受信装置に用いられる画像の送受信用のサーバであり、第８発明は、第２発明の画像の送受信装置に用いられる画像の送受信用のサーバであり、第９発明は、第３発明の画像の送受信装置に用いられる画像の送受信用のサーバであり、第１０発明は、第４発明の画像の送受信装置に用いられる画像の送受信用のサーバである。
【００５９】
【発明の実施の形態】
以下図面を参照して本発明の実施形態について説明する。
【００６０】
図１は実施形態の画像の送受信システムの全体構成を示している。なお実施形態ではサッカー競技場、野球場などの撮影地から新聞社に写真を送信する場合を想定して説明する。
【００６１】
図１に示すように、撮影者側パソコン１０は、インターネット８を介してＷｅｂサーバ９、１９に相互に送受信可能に接続されているとともに、編集者側パソコン１１は、インターネット８を介してＷｅｂサーバ９、１９に相互に送受信可能に接続された構成となっている。またインターネット８には、他のクライアント端末１６、１７が相互に送受信可能に接続している。Ｗｅｂサーバ１９は、バックアップ用のサーバであり、通常はＷｅｂサーバ９が機能している。以下Ｗｅｂサーバ１９はＷｅｂサーバ９と同じ機能のものであるとしてＷｅｂサーバ９で代表させて説明する。
【００６２】
インターネット８ではＷＷＷ（ワールドワイドウエブ：インターネット上の情報検索システム）などのサービスを提供している。通信手段としてのインターネットにおいては、データは、所定の通信プロトコル（ＴＣＰ/ＩＰ）に従って送受信される。インターネット８上では、ファイルは、ＴＣＰ/ＩＰの上位層であるＦＴＰ転送プロトコルにしたがいアップロード、ダウンロードされる。Ｗｅｂサーバ９はＦＴＰ受信サーバとして機能する。
【００６３】
Ｗｅｂサーバ９はＷＷＷのサービスを提供するサーバであり、ＨＴＭＬ（ハイパー・テキスト・マークアップ・ランゲージ）形式でリンクしたデータ構造として記述されているＷｅｂページとしての「画像表示画面」のデータを記憶しており、画像表示画面のデータを要求元のクライアント装置（撮影者側パソコン１０、編集者側パソコン１１、クライアント端末１６、１７）の表示画面に表示する。画像表示画面は、Ｗｅｂページ上でリンクされたデータとして記述されている。Ｗｅｂサーバ９は新聞社に設けられている。
【００６４】
インターネット８は専用線６を介して地上波基地局５に接続している。撮影地には撮影者側パソコン１０が設けられている。撮影者側パソコン１０には地上波基地局５との間で無線通信４を行うべく、地上波の周波数帯で送受信可能な無線機が接続されるか搭載されている。携帯電話、ＰＨＳの周波数帯で無線通信４が行われる場合には、既存の「インターネット接続サービス」を利用することができる。また無線ＬＡＮによって無線通信４を行うようにしてもよい。この場合には、インターネット８にＡＤＳＬ回線７を介して通信端末が接続され、この通信端末と撮影者側パソコン１０の無線機（たとえば無線ＬＡＮカード）との間で無線通信４が行われる。
【００６５】
編集者側パソコン１１と、素材サーバ１３と、紙面制作用ホストコンピュータ１５は新聞社内でＬＡＮを構成している。編集者側パソコン１１はＬＡＮ用の通信回線１２を介して素材サーバ１３に接続しており、素材サーバ１３はＬＡＮ用の通信回線１４を介して紙面制作用ホストコンピュータ１５に接続している。編集者側パソコン１１は専用線若しくは公衆回線を介してインターネット８に接続している。
【００６６】
撮影地には、携行可能な記憶媒体たとえばメモリカード２が着脱自在のデジタルカメラ（以下単にカメラという）１が設けられている。
【００６７】
カメラ１には、撮影した画像を表示する液晶画面が設けられているとともに、撮影した画像にタグを付与する機能が備えられている。メモリカード２には、撮影した画像のデータとともにタグのデータが記憶される。撮影者側パソコン１０には、メモリカード２がカードスロットに挿入されることでメモリカード２の記憶データを読み出すメモリカードリーダ３が設けられている。なおメモリカード２としては、あらゆる規格の小型フラッシュメモリカードを使用することができる。なおメモリカード以外の携行可能な記憶媒体を使用する実施も可能である。
【００６８】
撮影者側パソコン１０には、Ｗｅｂサーバ９に画像のデータを送信する送信ソフトウエアがインストールされている。この送信ソフトウエアは、メモリカード２がメモリカードリーダ３のカードスロットに挿入されることに応じて起動され、Ｗｅｂサーバ９に、メモリカード２の画像データのうちタグが付与された画像データを自動的に送信するプログラム構造となっている。
【００６９】
また撮影者側パソコン１０には、Ｗｅｂサーバ９の画像表示画面データにアクセスして画像表示画面を自己のパソコンの表示画面１０ａで表示させる表示ソフトウエア、つまりＷｅｂページ閲覧用ソフトウエア（Ｗｅｂブラウザ）がインストールされている。撮影地ではカメラ１を用いてカメラマンがイベントの写真を撮影する。
【００７０】
カメラマンが複数存在する場合には、その人数に応じてカメラ１、撮影者側パソコン１０が設けられ、同様な接続態様でインターネット８に接続される。
【００７１】
新聞社内の編集者側パソコン１１には、撮影者側パソコン１０と同様に、Ｗｅｂサーバ９の画像表示画面データにアクセスして画像表示画面を自己のパソコンの表示画面１１ａで表示させる表示ソフトウエアがインストールされている。編集者側パソコン１１には、新聞社デスク（新聞社内の編集者）が配置されている。
【００７２】
ただし編集者側パソコン１１には、後述するように画像表示画面の一部の色を変えるなど画像表示画面のデータを書き換え更新することができるアクセス権限が与えられているのに対して、撮影者側パソコン１０には、画面情報の提供、検索しか受けることができず画像表示画面データを更新するアクセス権限は与えられていない。アクセス権限は、端末装置において、入力操作したユーザＩＤ番号、パスワード（暗証番号）に応じて与えられる。
【００７３】
素材サーバ１３には、編者者側パソコン１１から画像のデータが送信され送信された画像が記憶される。また紙面制作用ホストコンピュータ１５は、素材サーバ１３から画像データを取り込み、出稿画像のデータとして記憶する。紙面制作用ホストコンピュータ１５は、図示しない紙面制作用の端末に接続されている。紙面制作用ホストコンピュータ１５に画像のデータが送信され画像データが蓄積されたことをもって写真が「出稿」されたといわれる。紙面制作用端末では、紙面制作用ホストコンピュータ１５に蓄積された画像データを用いて紙面を制作する処理が行われる。
【００７４】
以下図１の装置で行われる処理の流れについて図２〜図６を併せ参照しつつ説明する。
【００７５】
撮影地でカメラマンがカメラ１でイベントの写真を撮影すると、液晶画面をみながら撮影した画像のうち送信すべき画像にタグを付与する操作を行う。これによりメモリカード２には、撮影した画像のデータおよびタグのデータが記憶される。撮影が終了するとカメラ１からメモリカード２を抜き取り、撮影者側パソコン１０のメモリカードリーダ３に挿入される。これにより撮影者側パソコン１０で送信ソフトウエアが起動されて、Ｗｅｂサーバ９との通信接続を確立し、メモリカード２に記憶された画像のうちタグが付与された画像のデータを後述する「撮影情報」とともに自動的に送信する処理を実行するとともに、撮影者側パソコン１０の表示画面１０ａ上に「送信画面」１００を表示させる。データは、撮影者側パソコン１０から図１にＡまたはＢで示す経路でＷｅｂサーバ９に送信される。
【００７６】
図２は、送信直後の撮影者側パソコン１０の表示画面１０ａの表示内容を示しており、表示画面１０ａ上には送信画面１００が表示される。
【００７７】
送信画面１００では、送信先、送信者の情報を入力することができる。すなわち送信先の「ＦＴＰサーバ名」がボックス１０１内に入力され、送信者の「ユーザＩＤ」がボックス１０２内に入力され、送信者の「パスワード」がボックス１０３内に入力され、画像データの種類を示す「ディレクトリ」がボックス１０４内に入力される。これら送信先、送信者の情報は、送信前に予め撮影者側パソコン１０に入力しておかれる。なおＷｅｂサーバ９では、イベント毎にディレクトリが割り当てられており、ディレクトリを指示、入力することで、画像データの種類（イベント）が指定され、各ディレクトリにイベントの種類ごとの画像データが格納される。
【００７８】
また送信画面１００では、画像に付帯する撮影情報を入力することができる。すなわち「サービスＩＤ」がボックス１０５内に入力され、撮影地である「発信地」がボックス１０６内に入力され、「撮影者」がボックス１０７内に入力され、画像の「仮見だし」がボックス１０８内に入力され、画像の説明である「絵解き」がボックス１０９内に入力される。これら撮影情報は、送信前に予め撮影者側パソコン１０に入力しておかれる。なお送信画面１００上では表示されていないが、撮影情報の中には画像を撮影した日時の情報（撮影日時）、画像のファイル名も含まれる。
【００７９】
送信画面１００には、現在送信中の画像１１０が縮小して表示されるとともに、送信済み若しくは送信中の画像のファイル名１１１が表示される。
【００８０】
メモリカード２に記憶された画像のうちタグが付与されている画像を全て送信し終えたならば、Ｗｅｂサーバ９との通信接続を解除する処理を実行するとともに、表示画面１０ａ上に送信が完了した旨の表示が行われる。
【００８１】
以上のように本実施形態によれば、カメラマンとしては、撮影者側パソコン１０上でキー操作、クリック操作などの煩わしい操作を行うことなく、メモリカード２をパソコン１０のカードスロットに挿入するという非常に簡単な操作で確実に画像を送信することができる。この結果、カメラマンは取材に専念することができる。
【００８２】
しかも撮影した画像の中から送信すべき画像を選択するにあたり、撮影した瞬間に手にしているカメラ１上でタグを付与することで画像選択操作を行えるようにしたので、選択操作を確実かつ瞬時に行うことができる。撮影した画像の中から送信すべき画像を選択するにあたり、カメラ１から手を離して、撮影者側パソコン１０上でキー操作、クリック操作などの煩わしい操作を行う必要がない。この結果、カメラマンは、より一層、取材に専念できるという効果が得られる。
【００８３】
以上のようにして撮影者側パソコン１０から複数の画像がＷｅｂサーバ９に送信されると、これら複数の画像がＷｅｂサーバ９で受信され、当該Ｗｅｂサーバ９で、受信した複数の画像について実画像のデータとは別にサムネイル画像のデータを生成する処理が行われる。なおＷｅｂサーバ９では画像を受信した時刻を記録しており、この受信時刻データは撮影情報とともに、画像のデータに対応づけられて記憶される。
【００８４】
撮影者側パソコン１０、編集者側パソコン１１で表示ソフトウエアが起動されると、まずユーザＩＤ番号、パスワードを入力する操作を行う。この入力されたユーザＩＤ番号、パスワードが予め登録されたものと一致していることを条件として、撮影者側パソコン１０の表示画面１０ａ、編集者側パソコン１１の表示画面１１ａには、図３に示す「初期画面」１１２が表示される。
【００８５】
初期画面１１２では、Ｗｅｂサーバ９に格納されている画像データを検索する条件を入力することができる。すなわちＷｅｂサーバ９で画像を受信した受信日、受信時刻を示す「受信日」がボックス１１３内に入力され、画像の「仮見だし」がボックス１１４内に入力され、画像の「絵解き」がボックス１１５内に入力され、画像の「撮影者」がボックス１１６内に入力され、画像の「ディレクトリ（Ｄｉｒ）」がボックス１１７内に入力され、画像の「並び順」がボックス１１８内に入力、表示される。
【００８６】
「受信日」の項目では、現在より過去何時間前あるいは何日前までの画像データであるかが指示される。
【００８７】
「ディレクトリ（Ｄｉｒ）」の項目では、画像の種別が指示される。たとえばディレクトリの「０１」が野球の試合に、ディレクトリの「０２」がサッカーの試合に割り当てられている。各ディレクトリ「０１」あるいは「０２」が指示される。
【００８８】
「並び順」の項目では、カメラマンがカメラ１で画像を撮影した時刻の順序（撮影時刻順）あるいはＷｅｂサーバ９で画像を受信した受信時刻の順序（受信時刻順）の別が指示される。
【００８９】
また「出稿済みのみ」のチェックボックス１１９を、チェックする入力操作を行った場合には、画像が出稿済みのみであるという検索条件が指示される。
【００９０】
こうして検索条件が指示、入力されると、「検索」のボタン１２０をクリック操作することで、撮影者側パソコン１０、編集者側パソコン１１から、Ｗｅｂサーバ９に、検索条件のデータとともに画像表示画面のデータを要求する指令が送信される。データは、撮影者側パソコン１０から図１にＡまたはＢで示す経路でＷｅｂサーバ９に送信される。また編集者側パソコン１１からは、データは図１にＣで示す経路でＷｅｂサーバ９に送信される。
【００９１】
Ｗｅｂサーバ９はこれを受けて、対応する画像表示画面のデータを撮影者側パソコン１０、編集者側パソコン１１に送信する処理を実行する。この際に、Ｗｅｂサーバ９は、画像のデータとして実画像ではなくサムネイル画像のデータを送信する。Ｗｅｂサーバ９から撮影者側パソコン１０に対しては図１にＡまたはＢで示す経路でデータが送信される。またＷｅｂサーバ９から編集者側パソコン１１に対しては図１にＣで示す経路でデータが送信される。
【００９２】
撮影者側パソコン１０、編集者側パソコン１１には、Ｗｅｂサーバ９から送信された画像表示画面のデータが取り込まれ、撮影者側パソコン１０の表示画面１０ａ、編集者側パソコン１１の表示画面１１ａには、図４に示す「受信画像一覧画面」１２１が表示される。
【００９３】
画像表示画面１２１では、複数のサムネイル画像１２２…１２２′、１２２″が検索条件にしたがって一覧表示される。図４では、図３の初期画面１１２で指示、入力された検索条件のとおり、「受信日」が「２時間以内」で、「ディレクトリ（Ｄｉｒ）」が「０１（野球の試合）」という条件にあてはまるサムネイル画像１２２…１２２′、１２２″が、指示された「受信時刻順」という「並び順」で一覧表示される。検索条件では、「撮影者」の指定がないため、複数のカメラマンの画像が一覧表示されている。
【００９４】
なお図３の初期画面１１２で「受信日」、「ディレクトリ（Ｄｉｒ）」、「受信時刻順」の指示、入力内容を変えた場合には、その指示、入力内容に応じた複数のサムネイル画像が、指示された並び順で一覧表示されることになる。たとえば図３の初期画面１１２で、「ディレクトリ（Ｄｉｒ）」が「０２」と指示された場合には、「サッカーの試合」で撮影された画像のみが図４の受信画像一覧画面１２１で一覧表示される。
【００９５】
また図３の初期画面１１２で、「仮見だし」、「絵解き」、「撮影者」の各検索条件を入力した場合には、その入力された検索条件で絞り込まれた複数のサムネイル画像が、一覧表示される。たとえば図３の初期画面１１２で、「撮影者」が特定の１人のカメラマンを指示する内容である場合には、その特定のカメラマンが撮影した画像のみが図４の受信画像一覧画面１２１で一覧表示される。
【００９６】
また図３の初期画面１１２で「出稿済みのみ」のチェックボックス１１９を、チェックする入力操作を行った場合には、既に出稿済みの画像のみが図４の受信画像一覧画面１２１で一覧表示される。
【００９７】
図４の受信画像一覧画面１２１では、各サムネイル画像１２２…１２２′、１２２″に付帯して、撮影情報および受信時刻データが、画像情報表示部１２３…１２３′、１２３″に表示される。
【００９８】
受信画像一覧画面１２１に表示された複数のサムネイル画像１２２……１２２′、１２２″のうち特定のサムネイル画像１２２′の情報のみを表示したい場合には、受信画像一覧画面１２１上で、対応するサムネイル画像１２２′がクリック操作される。この入力操作に応じて、図４の受信画像一覧画面１２１は、図５の「写真情報表示画面」１２４に遷移し、特定のサムネイル画像１２２′が拡大されて表示されるとともに、この特定のサムネイル画像１２２′に付帯する撮影情報が各ボックス１２６〜１３１に表示される。
【００９９】
以上のように本実施形態によれば、編集者側パソコン１１の表示画面１１ａに、各カメラマンが撮影した画像を検索条件にしたがい一覧表示するとともに、選択に応じて撮影情報とともに特定の画像を拡大して表示できるようにしたので、新聞社デスクは、画面をみながら編集作業を効率よく行うことができる。
【０１００】
また撮影者側パソコン１０の表示画面１０ａに、カメラマンが送信しＷｅｂサーバ９で受信済みの画像を表示できるようにしたので、カメラマンは、正常に送信できたか否かを判断することができる。すなわち図４の受信画像一覧画面１２１上に、自己が撮影し送信した画像つまり図２の送信画面１００上の画像１１０と、同じ画像１２２′が存在するか否かを確認することで、正常に送信されたか否かを判断することができる。カメラマンが既に送信した画像１１０（図２）と同じ画像１２２′（図４）を受信画像一覧画面１２１上で確認できれば、カメラマンは、自分が送信した画像１１０が正常にＷｅｂサーバ９で受信されて新聞社の編集者側パソコン１１でも受信されたと判断することができる。しかも、この確認作業は、撮影者側パソコン１０からＷｅｂサーバ９の画像表示画面データにアクセスする操作を行うだけでよく、電話による連絡等と比較して時間や手間を要しない。このため、その後の取材に支障を来すことがない。また送信結果未確認のまま不安な状態で撮影を続行することからも解放される。
【０１０１】
また図４の受信画像一覧画面１２１上で、カメラマンは、自分が既に送信した画像１２２′のみならず他のカメラマンが既に送信した画像１２２″をも確認することができる。この確認作業は、撮影者側パソコン１０からＷｅｂサーバ９の画像表示画面データにアクセスする操作を行うだけでよく、電話による連絡等と比較して時間や手間を要しない。すなわち他のカメラマンの撮影内容を迅速に手間をかけずに知ることができるので、その後、お互いをサポートし合うことで、撮影内容を重複させない効率的な取材が可能になる。
【０１０２】
図５に示す写真情報表示画面１２４上で、サムネイル画像１２２′を出稿すべきと判断した場合には、「出稿」のボタン１３５がクリック操作される。この操作内容のデータはＷｅｂサーバ９に送信され、Ｗｅｂサーバ９に格納されている画像表示画面（受信画像一覧画面１２１）のデータは、図４に示すように、その画像１２２′が出稿されたことを示す画像表示画面（受信画像一覧画面１２１）のデータに更新される。具体的には、出稿すべきサムネイル画像１２２′の画像情報表示部１２３′の背景色が、そうでない他のサムネイル画像１２２…１２２″の画像情報表示部１２３…１２３″の背景色（たとえば白色）と異なる色（たとえば緑色）に変化するなどして、出稿されたサムネイル画像１２２′が他のサムネイル画像１２２…１２２″と識別表示されている態様の画像表示画面（受信画像一覧画面１２１）のデータに更新される。
【０１０３】
編集者側パソコン１１で、「出稿」のボタン１３５がクリック操作されると、これに応じて、サムネイル画像１２２′対応する実画像のデータが素材サーバ１３を介して紙面制作用ホストコンピュータ１５に送信され、紙面制作用ホストコンピュータ１５に取り込まれる。
【０１０４】
画像を、より詳細に確認したり編集してから出稿してもよい。
【０１０５】
すなわち図５の写真情報表示画面１２４上のサムネイル画像１２２′について、実画像を確認したり編集したりする場合には、サムネイル画像１２２′がクリック操作される。この入力操作に応じて、図５の写真情報表示画面１２４は、図６の「原寸表示画面」１３３に遷移する。
【０１０６】
すなわち編集者側パソコン１１で、図５に示すように、特定のサムネイル画像１２２′を選択する入力操作（クリック操作）が行われると、この操作内容のデータがＷｅｂサーバ９に送信され、これを受けてＷｅｂサーバ９から、図６に示すように、特定のサムネイル画像１２２′に対応する実画像１３４のデータが編集者側パソコン１１に送信され、この編集者側パソコン１１に取り込まれ、表示画面１１ａ上に原寸大の実画像１３４として表示される。
【０１０７】
なお図４の受信画像一覧画面１２１上で特定のサムネイル画像１２２′を選択する入力操作を行うことで、図６に示す原寸表示画面１３３に遷移させてもよい。
【０１０８】
このように編集者側パソコン１１の画面１１ａ上に実画像１３４が表示されることで、画像の細部やピント、ブレなどをチェックでき真の画質を確認できる。
これによりその画像を出稿すべきか否かを画面上で判断することができる。
【０１０９】
また図６の原寸表示画面１３３上に、トリミング、色調整、カットなどの加工、編集を行うツールを用意することで、実画像１３４を色調整したりカットするなどの加工、編集作業を画面上で行うことができる。このため編集作業を効率よく行うことができる。
【０１１０】
ここで実画像のデータはサムネイル画像のデータに比較してデータ容量が大きい。本実施形態によれば、複数の画像を一覧表示する場合には、データ容量の小さいサムネイル画像１２２…１２２′、１２２″をＷｅｂサーバ９から編集者側パソコン１１に送信することとし、特定のサムネイル画像１２２′を出稿すべきと決定した場合や、真の画質をチェックして出稿すべきか否かを判断する場合や、画像を加工、編集したりする場合のみに、データ容量の大きい実画像１３４をＷｅｂサーバ９から編集者側パソコン１１に送信するようにしたので、通信コストを抑制できるとともに、通信時間を短くすることができる。また圧縮回数が増えることによる画像の劣化を抑制することができる。
【０１１１】
図６に示す原寸表示画面１３３上で実画像１３４を出稿すべきと判断した場合には、編集者側パソコン１１で、その実画像１３４を指定して出稿することを指示する入力操作が行われる。この操作内容のデータはＷｅｂサーバ９に送信され、Ｗｅｂサーバ９に格納されている画像表示画面（受信画像一覧画面１２１）のデータは、図４に示すように、その実画像１３４（サムネイル画像１２２′）が出稿されたことを示す画像表示画面（受信画像一覧画面１２１）のデータに更新される。具体的には、出稿すべきサムネイル画像１２２′の画像情報表示部１２３′の背景色が、そうでない他のサムネイル画像１２２…１２２″の画像情報表示部１２３…１２３″の背景色（たとえば白色）と異なる色（たとえば緑色）に変化するなどして、出稿されたサムネイル画像１２２′（実画像１３４）が他のサムネイル画像１２２…１２２″と識別表示されている態様の画像表示画面（受信画像一覧画面１２１）のデータに更新される。
【０１１２】
編集者側パソコン１１で、出稿を指示する入力操作が行われると、これに応じて、対応する実画像１３４のデータが素材サーバ１３を介して紙面制作用ホストコンピュータ１５に送信され、紙面制作用ホストコンピュータ１５に取り込まれる。
【０１１３】
なお図４に示す受信画像一覧画面１２１上で、出稿すべきサムネイル画像１２２′を指定して、出稿を指示する入力操作を行うようにしてもよい。
【０１１４】
撮影者側パソコン１０からＷｅｂサーバ９の画像表示画面データにアクセスすると、図４に示すように、更新された受信画像一覧画面１２１が自己のパソコン１０の表示画面１０ａで表示される。このため識別表示されている画像情報表示部１２３′をもってカメラマンは、自分が撮影した画像１２２′が掲載される予定であることを取材現場で、電話連絡等と比較して迅速にかつ手間をかけずに知ることができる。また他のカメラマンが送信した画像１２２″の画像情報表示部１２３″の色が変化しているか否かによって、そのカメラマンが撮影した画像１２２″が出稿される予定であるか否かを知ることができる。どのような画像が出稿される予定であるかを知ることで、その後の取材方針を決めるのに役に立ち効率的な取材が可能になる。また自分が撮影した画像が掲載される予定であることを取材現場で知ることができれば、その後の撮影への意欲がわき精力的な取材が可能になる。
【０１１５】
なお本実施形態では、色を異ならせることで、出稿される予定の画像１２２′を、そうでない画像１２２…１２２″と識別表示させているが、これは一例であり、出稿される予定の画像１２２′（若しくはその画像情報表示部１２３′）を点滅させたり、拡大したり、縮小したりするなどして、そうでない画像１２２…１２２″と識別表示させてもよい。また「画像１２２′が出稿済み」である旨の表示を行うようにしてもよい。
【０１１６】
上述した実施形態には、種々の変形、実施例の追加が可能である。
【０１１７】
図１ではカメラ１で撮影した画像データをメモリカード２を介して撮影者側パソコン１０に取り込むようにしているが、図７に示すようにカメラ１で撮影した画像データをデータ通信ケーブル２０を介して撮影者側パソコン１０に取り込むようにしてもよい。
【０１１８】
本実施形態では新聞社に所属するプロのカメラマンが撮影者側パソコン１０を操作することで、新聞社のＷｅｂサーバ９に画像を送信したり、Ｗｅｂサーバ９に格納されたデータにアクセスすることを想定している。しかし、たとえば新聞の読者などアマチュアの撮影者側に設けられたクライアント端末１６から画像をＷｅｂサーバ９に送信することで、アマチュアの「投稿写真」をプロのカメラマンが撮影した画像とともに、図４の受信画像一覧画面１２１に表示させてもよい。
【０１１９】
また図１では、新聞社内に編集者側パソコン１１を設けているが、編集者側パソコン１１のアクセス権限を、他のクライアント端末１７に与えることで、新聞社以外の場所（たとえば自宅）から、出稿すべき画像を選択したり画像を加工、編集するなどの作業を行えるようにしてもよい。
【０１２０】
また実施形態では、野球、サッカーなどのイベントで撮影した画像を新聞社に送信する場合を想定しているが、本発明はもちろんこれに限定されるわけでなく、事件、事故などの報道写真を送信する場合や、雑誌社、通信社などに送信する場合などにも当然適用することができる。
【０１２１】
また実施形態では、静止画像を送受信するシステムを想定しているが、本発明としては、動画を送受信するシステムにも適用することができる。たとえば図４に示す受信画像一覧画面１２１において、各静止画像１２２…１２２′、１２２″をそれぞれ、動画に代えて一覧表示させる実施も可能である。
【図面の簡単な説明】
【図１】図１は実施形態の画像の送受信システムの全体構成を示す図である。
【図２】図２は送信画面を示す図である。
【図３】図３は初期画面を示す図である。
【図４】図４は受信画像一覧画面を示す図である。
【図５】図５は写真情報表示画面を示す図である。
【図６】図６は原寸表示画面を示す図である。
【図７】図７は従来の画像の送受信システムの全体構成を示す図である。
【符号の説明】
１  カメラ
２  メモリカード
３  メモリカードリーダ
８  インターネット
９、１９  Ｗｅｂサーバ
１０  撮影者側パソコン
１１  編集者側パソコン
【図１】
2004214818.tif 000003
【図２】
2004214818.tif 000004
【図３】
2004214818.tif 000005
【図４】
2004214818.tif 000006
【図５】
2004214818.tif 000007
【図６】
2004214818.tif 000008
【図７】
2004214818.tif 000009
【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
撮影手段で撮影した画像のデータを撮影者側の端末から入力し通信手段を介して送信し、受信した画像データを編集者側の端末で取り出し、出稿するようにした画像の送受信装置において、
複数の撮影者側それぞれに撮影手段と撮影者側端末とが設けられ、
サーバは、通信手段によって前記複数の撮影者側端末および前記編集者側端末と通信可能に接続され、
前記サーバには、複数の撮影者側端末から送信され受信した各撮影者側端末毎の画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されること
を特徴とする画像の送受信装置。
【請求項２】
前記画像表示画面には、複数の撮影者に対応づけられて画像が表示され、
前記編集者側端末で、画像を出稿すべきことを指示する入力操作が行われると、
この操作内容のデータが前記サーバに送信され、前記サーバに格納されている画像表示画面は、出稿すべき画像と当該出稿すべき画像に対応づけられた撮影者とを特定する画像表示画面に更新されること
を特徴とする請求項１記載の画像の送受信装置。
【請求項３】
前記複数の撮影者側端末から複数の静止画像を送信する場合に適用され、
前記画像表示画面は、複数の静止画像を複数の撮影者に対応づけて一覧表示するものであり、
前記編集者側端末で、複数の静止画像の中から出稿すべき静止画像を選択する入力操作が行われると、
この操作内容のデータが前記サーバに送信され、前記サーバに格納されている画像表示画面は、出稿すべき静止画像と当該出稿すべき静止画像に対応づけられた撮影者とが他の静止画像と識別表示されている態様の画像表示画面に更新されること
を特徴とする請求項１記載の画像の送受信装置。
【請求項４】
前記複数の撮影者側端末から複数の静止画像を送信する場合に適用され、
複数の静止画像が前記サーバで受信されると、当該サーバで、受信した複数の静止画像について実画像のデータとは別にサムネイル画像のデータを生成する処理が行われ、
前記編集者側端末で、前記サーバで受信された複数の静止画像を要求する入力操作が行われると、
この操作内容のデータが前記サーバに送信され、これを受けて前記サーバから複数のサムネイル画像のデータが前記編集者側端末に送信され、
前記編集者側端末で、複数のサムネイル画像の中から特定のサムネイル画像を選択する入力操作が行われると、
この操作内容のデータが前記サーバに送信され、これを受けて前記サーバから特定のサムネイル画像に対応する実画像のデータが前記編集者側端末に送信されること
を特徴とする請求項１記載の画像の送受信装置。
【請求項５】
前記撮影手段には、撮影した画像のデータを記憶する携行可能な記憶媒体が着脱自在に設けられており、
前記携行可能な記憶媒体が前記撮影者側端末に装着されることに応じて、前記送信ソフトウエアが起動されて、前記サーバに、画像データが自動的に送信されること
を特徴とする請求項１記載の画像の送受信装置。
【請求項６】
前記撮影手段には、撮影した画像のデータに、タグを付与する手段が設けられているとともに、撮影した画像のデータおよびタグのデータを記憶する携行可能な記憶媒体が着脱自在に設けられており、
前記携行可能な記憶媒体が前記撮影者側端末に装着されることに応じて、前記送信ソフトウエアが起動されて、前記サーバに、タグが付与されている画像データが自動的に送信されること
を特徴とする請求項１記載の画像の送受信装置。
【請求項７】
通信手段により接続され、画像の送受信に用いられるサーバであって、
前記サーバには、複数の撮影者が撮影した受信画像を表示する画像表示画面のデータが格納されており、
前記サーバで画像のデータが受信されると、この受信された画像を含む画像表示画面に更新され、
前記サーバで画像表示画面を要求するデータが受信されると、要求元に画像表示画面のデータを送信すること
を特徴とする画像の送受信用サーバ。
【請求項８】
前記画像表示画面には、複数の撮影者に対応づけられて受信画像が表示され、
前記サーバで画像を出稿すべきことを指示するデータが受信されると、出稿すべき画像と当該出稿すべき画像に対応づけられた撮影者とを特定する画像表示画面に更新されること
を特徴とする請求項７記載の画像の送受信用サーバ。
【請求項９】
通信手段により接続され、画像の送受信に用いられるサーバであって、
前記サーバには、受信した複数の静止画像を複数の撮影者に対応づけて一覧表示する画像表示画面のデータが格納されており、
前記サーバで静止画像のデータが受信されると、この受信された静止画像を含む画像表示画面に更新され、
前記サーバで静止画像を出稿すべきことを指示するデータが受信されると、出稿すべき静止画像と当該出稿すべき静止画像に対応づけられた撮影者とが他の静止画像と識別表示されている態様の画像表示画面に更新され、
前記サーバで画像表示画面を要求するデータが受信されると、要求元に画像表示画面のデータを送信すること
を特徴とする画像の送受信用サーバ。
【請求項１０】
複数の静止画像が前記サーバで受信されると、受信した複数の静止画像について実画像のデータとは別にサムネイル画像のデータを生成する処理が行われ、
複数の静止画像を要求するデータが受信されると、複数のサムネイル画像を表示した画像表示画面のデータを要求元に送信し、
複数のサムネイル画像の中から特定のサムネイル画像を選択するデータが受信されると、特定のサムネイル画像に対応する実画像のデータを要求元に送信すること
を特徴とする請求項７記載の画像の送受信用サーバ。
【請求項１１】
前記サーバには、複数のイベントそれぞれに対応づけられて、前記画像表示画面のデータが格納されており、
前記撮影者側端末および前記編集者側端末で、複数のイベントの中から特定のイベントを指示する入力操作が行われると、
この操作内容のデータが前記サーバに送信され、前記サーバに格納されている画像表示画面データの中から指示されたイベントに対応する画像表示画面データが選択され、前記撮影者側端末および前記編集者側端末に、指示されたイベントに対応する画像表示画面が表示されること
を特徴とする請求項１記載の画像の送受信装置。
【請求項１２】
前記送受信用サーバには、複数のイベントそれぞれに対応づけられて、前記画像表示画面のデータが格納されており、
複数のイベントの中から特定のイベントを指示するデータが受信されると、格納されている画像表示画面データの中から指示されたイベントに対応する画像表示画面データが選択され、要求元に、指示されたイベントに対応する画像表示画面データを送信すること
を特徴とする請求項７記載の画像の送受信用サーバ。
【手続補正２】
【補正対象書類名】明細書
【補正対象項目名】００３２
【補正方法】変更
【補正の内容】
【００３２】
【課題を解決するための手段および効果】
第１発明は、
撮影手段で撮影した画像のデータを撮影者側の端末から入力し通信手段を介して送信し、受信した画像データを編集者側の端末で取り出し、出稿するようにした画像の送受信装置において、
複数の撮影者側それぞれに撮影手段と撮影者側端末とが設けられ、
サーバは、通信手段によって前記複数の撮影者側端末および前記編集者側端末と通信可能に接続され、
前記サーバには、複数の撮影者側端末から送信され受信した各撮影者側端末毎の画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されることを特徴とする。


【手続補正３】
【補正対象書類名】明細書
【補正対象項目名】００３９
【補正方法】変更
【補正の内容】
【００３９】
第２発明は、第１発明において、
前記画像表示画面には、複数の撮影者に対応づけられて画像が表示され、
前記編集者側端末で、画像を出稿すべきことを指示する入力操作が行われると、
この操作内容のデータが前記サーバに送信され、前記サーバに格納されている画像表示画面は、出稿すべき画像と当該出稿すべき画像に対応づけられた撮影者とを特定する画像表示画面に更新されることを特徴とする。


【手続補正４】
【補正対象書類名】明細書
【補正対象項目名】００４１
【補正方法】変更
【補正の内容】
【００４１】
第３発明は、第１発明において、
前記複数の撮影者側端末から複数の静止画像を送信する場合に適用され、
前記画像表示画面は、複数の静止画像を複数の撮影者に対応づけて一覧表示するものであり、
前記編集者側端末で、複数の静止画像の中から出稿すべき静止画像を選択する入力操作が行われると、
この操作内容のデータが前記サーバに送信され、前記サーバに格納されている画像表示画面は、出稿すべき静止画像と当該出稿すべき静止画像に対応づけられた撮影者とが他の静止画像と識別表示されている態様の画像表示画面に更新されることを特徴とする。


【手続補正５】
【補正対象書類名】明細書
【補正対象項目名】００４３
【補正方法】変更
【補正の内容】
【００４３】
第４発明は、第１発明において、
前記複数の撮影者側端末から複数の静止画像を送信する場合に適用され、
複数の静止画像が前記サーバで受信されると、当該サーバで、受信した複数の静止画像について実画像のデータとは別にサムネイル画像のデータを生成する処理が行われ、
前記編集者側端末で、前記サーバで受信された複数の静止画像を要求する入力操作が行われると、
この操作内容のデータが前記サーバに送信され、これを受けて前記サーバから複数のサムネイル画像のデータが前記編集者側端末に送信され、
前記編集者側端末で、複数のサムネイル画像の中から特定のサムネイル画像を選択する入力操作が行われると、
この操作内容のデータが前記サーバに送信され、これを受けて前記サーバから特定のサムネイル画像に対応する実画像のデータが前記編集者側端末に送信されることを特徴とする。


【手続補正６】
【補正対象書類名】明細書
【補正対象項目名】００５４
【補正方法】変更
【補正の内容】
【００５４】
第７発明は、
通信手段により接続され、画像の送受信に用いられるサーバであって、
前記サーバには、複数の撮影者が撮影した受信画像を表示する画像表示画面のデータが格納されており、
前記サーバで画像のデータが受信されると、この受信された画像を含む画像表示画面に更新され、
前記サーバで画像表示画面を要求するデータが受信されると、要求元に画像表示画面のデータを送信することを特徴とする。


【手続補正７】
【補正対象書類名】明細書
【補正対象項目名】００５５
【補正方法】変更
【補正の内容】
【００５５】
第８発明は、第７発明において、
前記画像表示画面には、複数の撮影者に対応づけられて受信画像が表示され、前記サーバで画像を出稿すべきことを指示するデータが受信されると、出稿すべき画像と当該出稿すべき画像に対応づけられた撮影者とを特定する画像表示画面に更新されることを特徴とする。


【手続補正８】
【補正対象書類名】明細書
【補正対象項目名】００５６
【補正方法】変更
【補正の内容】
【００５６】
第９発明は、
通信手段により接続され、画像の送受信に用いられるサーバであって、
前記サーバには、受信した複数の静止画像を複数の撮影者に対応づけて一覧表示する画像表示画面のデータが格納されており、
前記サーバで静止画像のデータが受信されると、この受信された静止画像を含む画像表示画面に更新され、
前記サーバで静止画像を出稿すべきことを指示するデータが受信されると、出稿すべき静止画像と当該出稿すべき静止画像に対応づけられた撮影者とが他の静止画像と識別表示されている態様の画像表示画面に更新され、
前記サーバで画像表示画面を要求するデータが受信されると、要求元に画像表示画面のデータを送信すること
を特徴とする。


【手続補正９】
【補正対象書類名】明細書
【補正対象項目名】００５８
【補正方法】変更
【補正の内容】
【００５８】
第１１発明は、第１発明において、
前記サーバには、複数のイベントそれぞれに対応づけられて、前記画像表示画面のデータが格納されており、
前記撮影者側端末および前記編集者側端末で、複数のイベントの中から特定のイベントを指示する入力操作が行われると、
この操作内容のデータが前記サーバに送信され、前記サーバに格納されている画像表示画面データの中から指示されたイベントに対応する画像表示画面データが選択され、前記撮影者側端末および前記編集者側端末に、指示されたイベントに対応する画像表示画面が表示されること
を特徴とする。  第１２発明は、第７発明において、前記送受信用サーバには、複数のイベントそれぞれに対応づけられて、前記画像表示画面のデータが格納されており、
複数のイベントの中から特定のイベントを指示するデータが受信されると、格納されている画像表示画面データの中から指示されたイベントに対応する画像表示画面データが選択され、要求元に、指示されたイベントに対応する画像表示画面データを送信すること
を特徴とする。
第７発明は、第１発明の画像の送受信装置に用いられる画像の送受信用のサーバであり、第８発明は、第２発明の画像の送受信装置に用いられる画像の送受信用のサーバであり、第９発明は、第３発明の画像の送受信装置に用いられる画像の送受信用のサーバであり、第１０発明は、第４発明の画像の送受信装置に用いられる画像の送受信用のサーバである。第１１発明は、第１発明の画像の送受信装置の画像表示画面のデータを技術的に限定したものであり、第１２発明は、第１１発明の画像の送受信装置に用いられる画像の送受信用のサーバである。
【手続補正書】
【提出日】平成15年7月18日(2003.7.18)
【手続補正２】
【補正対象書類名】明細書
【補正対象項目名】特許請求の範囲
【補正方法】変更
【補正の内容】
【特許請求の範囲】
【請求項１】
撮影手段で撮影した新聞制作用の画像のデータを撮影者側の端末から入力し通信手段を介して送信し、受信した画像データを編集者側の端末で取り出し、出稿するようにした新聞制作用画像の送受信装置において、
複数の撮影者側それぞれに撮影手段と撮影者側端末とが同一のイベント場に設けられ、
サーバは、通信手段によって前記複数の撮影者側端末および前記編集者側端末と通信可能に接続され、
前記サーバには、複数の撮影者側端末から送信され受信した各撮影者側端末毎の画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されること
を特徴とする新聞制作用画像の送受信装置。
【請求項２】
前記画像表示画面には、複数の撮影者に対応づけられて画像が表示され、
前記編集者側端末で、画像を出稿すべきことを指示する入力操作が行われると、
この操作内容のデータが前記サーバに送信され、前記サーバに格納されている画像表示画面は、出稿すべき画像と当該出稿すべき画像に対応づけられた撮影者とを特定する画像表示画面に更新されること
を特徴とする請求項１記載の新聞制作用画像の送受信装置。
【請求項３】
前記複数の撮影者側端末から複数の静止画像を送信する場合に適用され、
前記画像表示画面は、複数の静止画像を複数の撮影者に対応づけて一覧表示するものであり、
前記編集者側端末で、複数の静止画像の中から出稿すべき静止画像を選択する入力操作が行われると、
この操作内容のデータが前記サーバに送信され、前記サーバに格納されている画像表示画面は、出稿すべき静止画像と当該出稿すべき静止画像に対応づけられた撮影者とが他の静止画像と識別表示されている態様の画像表示画面に更新されること
を特徴とする請求項１記載の新聞制作用画像の送受信装置。
【請求項４】
前記複数の撮影者側端末から複数の静止画像を送信する場合に適用され、
複数の静止画像が前記サーバで受信されると、当該サーバで、受信した複数の静止画像について実画像のデータとは別にサムネイル画像のデータを生成する処理が行われ、
前記編集者側端末で、前記サーバで受信された複数の静止画像を要求する入力操作が行われると、
この操作内容のデータが前記サーバに送信され、これを受けて前記サーバから複数のサムネイル画像のデータが前記編集者側端末に送信され、
前記編集者側端末で、複数のサムネイル画像の中から特定のサムネイル画像を選択する入力操作が行われると、
この操作内容のデータが前記サーバに送信され、これを受けて前記サーバから特定のサムネイル画像に対応する実画像のデータが前記編集者側端末に送信されること
を特徴とする請求項１記載の新聞制作用画像の送受信装置。
【請求項５】
前記撮影手段には、撮影した画像のデータを記憶する携行可能な記憶媒体が着脱自在に設けられており、
前記携行可能な記憶媒体が前記撮影者側端末に装着されることに応じて、前記送信ソフトウエアが起動されて、前記サーバに、画像データが自動的に送信されること
を特徴とする請求項１記載の画像の新聞制作用送受信装置。
【請求項６】
前記撮影手段には、撮影した画像のデータに、タグを付与する手段が設けられているとともに、撮影した画像のデータおよびタグのデータを記憶する携行可能な記憶媒体が着脱自在に設けられており、
前記携行可能な記憶媒体が前記撮影者側端末に装着されることに応じて、前記送信ソフトウエアが起動されて、前記サーバに、タグが付与されている画像データが自動的に送信されること
を特徴とする請求項１記載の新聞制作用画像の送受信装置。
【請求項７】
前記サーバには、複数のイベントそれぞれに対応づけられて、前記画像表示画面のデータが格納されており、
前記撮影者側端末および前記編集者側端末で、複数のイベントの中から特定のイベントを指示する入力操作が行われると、
この操作内容のデータが前記サーバに送信され、前記サーバに格納されている画像表示画面データの中から指示されたイベントに対応する画像表示画面データが選択され、前記撮影者側端末および前記編集者側端末に、指示されたイベントに対応する画像表示画面が表示されること
を特徴とする請求項１記載の新聞制作用画像の送受信装置。
【手続補正３】
【補正対象書類名】明細書
【補正対象項目名】００３２
【補正方法】変更
【補正の内容】
【００３２】
【課題を解決するための手段および効果】
第１発明は、
撮影手段で撮影した新聞制作用の画像のデータを撮影者側の端末から入力し通信手段を介して送信し、受信した画像データを編集者側の端末で取り出し、出稿するようにした新聞制作用画像の送受信装置において、
複数の撮影者側それぞれに撮影手段と撮影者側端末とが同一のイベント場に設けられ、
サーバは、通信手段によって前記複数の撮影者側端末および前記編集者側端末と通信可能に接続され、
前記サーバには、複数の撮影者側端末から送信され受信した各撮影者側端末毎の画像を表示する画像表示画面のデータが格納されており、
前記撮影者側端末には、前記サーバに画像のデータを送信する送信ソフトウエアがインストールされているとともに、
前記撮影者側端末および前記編集者側端末には、前記サーバの画像表示画面データにアクセスして画像表示画面を自己の端末で表示させる表示ソフトウエアがインストールされており、
前記撮影者側端末で、前記送信ソフトウエアが起動されることにより、前記サーバに、画像データが送信され、
前記撮影者側端末および前記編集者側端末で、前記表示ソフトウエアが起動されることにより、前記撮影者側端末および前記編集者側端末に、画像表示画面が表示されること
を特徴とする。


【手続補正４】
【補正対象書類名】明細書
【補正対象項目名】００５４
【補正方法】削除
【補正の内容】
【手続補正５】
【補正対象書類名】明細書
【補正対象項目名】００５５
【補正方法】削除
【補正の内容】
【手続補正６】
【補正対象書類名】明細書
【補正対象項目名】００５６
【補正方法】削除
【補正の内容】
【手続補正７】
【補正対象書類名】明細書
【補正対象項目名】００５７
【補正方法】削除
【補正の内容】
【手続補正８】
【補正対象書類名】明細書
【補正対象項目名】００５８
【補正方法】変更
【補正の内容】
【００５８】
第７発明は、第１発明において、
前記サーバには、複数のイベントそれぞれに対応づけられて、前記画像表示画面のデータが格納されており、
前記撮影者側端末および前記編集者側端末で、複数のイベントの中から特定のイベントを指示する入力操作が行われると、
この操作内容のデータが前記サーバに送信され、前記サーバに格納されている画像表示画面データの中から指示されたイベントに対応する画像表示画面データが選択され、前記撮影者側端末および前記編集者側端末に、指示されたイベントに対応する画像表示画面が表示されること
を特徴とする。
第７発明は、第１発明の画像の送受信装置の画像表示画面のデータを技術的に限定したものである。
【手続補正９】
【補正対象書類名】図面
【補正対象項目名】図１
【補正方法】変更
【補正の内容】
【図１】
2004214818.tif 000010